(57)【要約】【課題】地表設置の底板付水道メーターボックスは、配管設置後、地表面をタイル、モルタル、アスファルトなどで仕上げをして地表面が元の地表面より高くなる場合、メーターボックスも高さが合うように持ち上げて設置し直す必要があるが、底板を持ち上げるには配管の深さを上方にやり直さねばならず、時間と費用を要する。ボックス本体のみ持ち上げることは出来るが、底板とボックス本体との間に隙間ができ、土砂の流入が多くなると同時にボックス本体の支えが無くなり、工事終了後、上からの荷重によりボックスが沈下する可能性がある。【解決手段】給水管、止水栓、水道メーターなどの下方に設置し、内側が凹状で浅い箱形の底板と、底板に嵌合させたメーターボックス本体とよりなる水道メーターボックスにおいて、メーターボックス本体と底板の間にくさびを内側から打込み、メーターボックス本体の高さを上げることができる水道メーターボックスの底板とした。【選択図】図３
2009167680.tif 000002
【特許請求の範囲】
【請求項１】
給水管、止水栓、水道メーターなどの下方に設置し、内側が凹状で浅い箱形の底板と、底板に嵌合させたメーターボックス本体とよりなる水道メーターボックスにおいて、メーターボックス本体と底板の間にくさびを内側から打込み、メーターボックス本体の高さを上げることができる水道メーターボックスの底板。
【発明の詳細な説明】
【技術分野】
【０００１】
本発明は、上水道の給水管の途中に取付けられる止水栓、水道メーター、逆止弁などを保護し、メーターの検針、止水栓の操作およびこれらの取替えが地上からできるよう開閉可能な蓋と本体および底板を有する地表設置水道用メーターボックスに関し、水道メーターボックスの底板についてのものである。
【背景技術】
【０００２】
止水栓、水道メーター、逆止弁を収納する水道メーターボックスは、管と平行に２個のコンクリートブロックや煉瓦を置き、メーターボックスを管をまたいで置いて周囲を地表まで埋め戻す方法と、図１に示す止水栓１０１、水道メーター１０２、逆止弁１０３を収納する水道メーターボックスは、内側が凹状で浅い箱形かつ底面に数カ所水抜孔１０４を有する底板１０５を給水管１０６、止水栓１０１、水道メーター１０２等の下面に設置し、底板１０５に嵌合させてメーターボックス本体１０７を設置して地表まで埋め戻す方法がある。底板１０５およびメーターボックス本体１０７の側面には、ほぼ半円状の切欠き１０８が設けてあり、配管に支障がない形状になっている。側面の配管後の空間から土砂が流入しないよう、ゴムや樹脂製のメーターボックス専用の泥よけ板１０９を被せることも行われている。
【０００３】
前者の方法は、配管後メーターボックスの高さを調節することが割合と簡単にできるが、下方が開放されているので土砂がボックス内に入りやすい欠点がある。
【０００４】
後者の方法は、土砂が下方からメーターボックス本体１０７内に入りにくいが、配管後地表面にタイルを貼ったり、モルタルで仕上げたりすると地表面が高くなり、メーターボックスを持ち上げて地表面に合わせる必要が出てきた場合にメーターボックス本体１０７を持ち上げると同時に底板１０５も持ち上げなければならない。メーターボックス本体１０７のみ持ち上げることもできるが、底板１０５との間に隙間ができ、土砂流入が多くなると同時にメーターボックス本体１０７の支えが無くなり、沈下しやすくなる。
【０００５】
底板１０５は、底板１０５の内側底面と止水栓１０１、水道メーター１０２の間隙分だけ持ち上げることはできるが、それ以上は配管を取り替えない限り持ち上げられない。持ち上げられたとしても、底板１０５の下面に空間ができ、これを土砂でしっかり埋め戻さないとメーターボックス本体１０７の沈下の原因となる。
【０００６】
メーターボックス本体１０７の高さを上げるために配管をやり直したり、底板１０５の下面に土砂を填圧することは無駄であり、時間と経費がかかる。
【０００７】
近年、止水栓と逆止弁をベース金具に固定し、止水栓と逆止弁の間に入る水道メーターを簡単に脱着できるようにした水道メーターユニットが使われるようになった。このメーターユニットのベースは底板の内側底面に据え置いて配管されることになるので、配管後底板を持ち上げることはできない。
【特許文献１】特開２００１−０７４５３４号公報
【発明の開示】
【発明が解決しようとする課題】
【０００８】
上水道給水管を宅内に引き込む場合、元に取付ける止水栓、水道メーターおよび逆止弁などを収納、保護し、メーターの検針を可能にする地表設置の底板付水道メーターボックスは、配管設置後、地表面をタイル、モルタル、アスファルトなどで仕上げをして地表面（床面）が元の地表面より高くなる場合、メーターボックスもそれに高さが合うように持ち上げて設置し直す必要がある。
【０００９】
しかし、ボックス本体は持ち上げることができるが、水道メーターまたは水道メーターユニットのベースが底板の内側底面に接触または僅かの隙間しかない場合には、底板を持ち上げることは配管の深さを上方にやり直す以外にはできない。これには時間と費用を要する。
【００１０】
ボックス本体のみ持ち上げることは出来るが、底板とボックス本体との間に隙間ができ、土砂の流入が多くなると同時にボックス本体の支えが無くなり、工事終了後、上からの荷重によりボックスが沈下する可能性がある。
【課題を解決するための手段】
【００１１】
（１）ボックス本体１は既存のままとし、底板の構造のみで対応する。
（２）従来型の底板のボックス本体と接触する上部内側に、ボックス本体の下部内側に嵌合する強度を考慮した上でできるだけ薄く、配管が通る部分と後述するくさびの嵌入部分を除いて全周に１０ｍｍ以上の高さのフィン３を上方に突出させる。これがボックス本体１と底板２のズレを防止すると同時にボックス本体１を持ち上げた時に土砂が流入するのを防ぐ。
（３）図２に示すように、底板２内側の長辺側に、短辺側に向かって高くなる傾斜面４を四隅に突設する。傾斜面４の最上部は底板２の最外周に至り、ボックス本体１との接触面より低く設定する。この部分は配管部分同様フィン３を取付けない。
（４）この傾斜面４の突出幅とほぼ同じ厚さで、底板２に突設した傾斜面４の角度と同じ傾斜辺５と水平辺６を持つ三角片で傾斜辺５と同じ角度の長孔７を刻設し、厳密には厚さは水平辺６から傾斜辺５に向かって底板２本体内側側面の勾配に合わせて薄くなるよう設定したくさび８を４個作成する。
（５）このくさび８を底板２内側側面に突設した傾斜面４とくさび８の傾斜面８はスライドするように長孔７を通してボルト９と座金１０で底板２に螺着して緩く止める。
（６）くさび８の上部水平辺６がボックス本体１と接触する底板２の外周フランジ面と同位置になるところで、かつくさび８が底板２突設傾斜面４のフランジ部分より低く設定した最上部の凹部を塞ぐ位置より底板２突設傾斜面４の下方側に寄り過ぎないようストッパー１１を底板２突設傾斜面４の最下部付近に突設する。
【発明の効果】
【００１２】
（１）水道メーターを主とする止水栓および逆止弁などを収納する地表面埋設の底板付水道メーターボックスにおいて、配管設置後に地表面にタイル、モルタルおよびアスファルトなどで仕上げ工事をする場合が多くある。
【００１３】
その場合、水道メーターボックスを仕上げ面に合わせる必要がある。たいていの場合、元の地表面より高くなるので水道メーターボックス本体１を持ち上げなければならない。      
【００１４】
配管設置は既に終了しているので、配管自体や底板を持ち上げるのが困難である。特に水道メーターユニットを使用した場合は配管自体をやり直さなければならない。
【００１５】
しかし、本発明の底板２を使用しておけば、四隅に枢着したくさび８を内側から外に向かってハンマーなどで打ち込めば、水道メーターボックス本体１が上昇する。打ち込む寸法により高さを調整できる。高さが調整できた後にボルト９を締めてくさび８を底板２本体に固定すればくさび８がずれることがない。
（２）くさび８は四隅にあるので、打込み寸法をそれぞれ変えれば仕上げ面が傾斜していても対応できる。
（３）水道メーターボックス本体１を持ち上げても、底板２のフィン３の高さ以内であれば土砂がボックス内に流入することはない。
（４）打ち込んだくさび８の先端が土中に突き刺さり、地表面からの荷重による水道メーターボックス本体１の沈下を抑制する。
（５）底板２のフィン３が水道メーターボックス本体１の下部内側に嵌合しているので、水道メーターボックス本体１が持ち上がるとくさび８が貫入する部分と管が通る部分以外は、水道メーターボックス本体１最下部と底板２の間に隙間が出来るが、底板２のフィン３が内側にあるのでこの隙間に土砂が流入し、水道メーターボックス本体１の沈下防止を補助する。周囲の土砂を填圧し直すことができれば確実である。
【００１６】
上記詳細に述べたように、最初の設置時に、底板を従来のものに換えて本発明の底板を設置しておけば、後で行う仕上げ面と水道メーターボックス上面を合わせることが容易になる。
【００１７】
また、水道メーターボックス本体は、従来品をそのまま使用することができる。
【発明を実施するための最良の形態】
【００１８】
図２は、本発明の水道メーターボックスの底板を示す図で、底板の平面図と底板の側面図、底板のＡ−Ａ断面図の３面図と、底板に使用するくさびの正面図とくさびの側面図との２面図である。
【００１９】
図３は、本発明の底板を使用した水道メーターボックス組立の正面断面図と側面図の２面図と、高さ調整を説明する正面断面の２面図である。
【００２０】
底板２には４個の水抜孔１２が穿設され、水道メーターボックス本体１上面開口にはメーターボックス蓋１３が開閉自在に設けられ、水道メーターボックス本体１の側面には長円状切欠き１４が刻設してある。この長円状切欠き１４は泥よけ板を取付けることができる。
【００２１】
底板２の４箇所の傾斜面４にはくさび８がボルト９により緩く螺着されている。このくさび８を内側から外側に向けてハンマーなどで打ち込めば、水道メーターボックス本体１が上昇する。打ち込む寸法により高さの調整ができる。高さの調整ができた後にボルト９を螺締してくさび８を底板２に固定すればくさび８がずれることはない。
【００２２】
くさび８は四隅に配置してあるので、地表の仕上げ面が傾斜していても対応できる。
【実施例１】
【００２３】
本発明の水道用メーターボックスの底板は、長辺５００ｍｍ、短辺２５０ｍｍ、高さ  ７０ｍｍである。
【産業上の利用可能性】
【００２４】
本発明は、給水管が貫通する水道用メーターボックスで、傾斜面を用いて底板を従来の位置に留め、水道メーターボックス本体を上方に移動させるようにしたが、配管を収容するボックスにおいて、配管を従来の位置に保持してボックス本体を上方（あるいは前方）へ移動させるものに利用できる。
【図面の簡単な説明】
【００２５】
【図１】従来の止水栓、水道メーター、逆止弁を収納する水道メーターボックスの平面図と縦断面図の２面図である。
【図２】本発明の水道メーターボックスの底板を示す図で、底板の平面図と底板の側面図、底板のＡ−Ａ断面図の３面図と、底板に使用するくさびの正面図とくさびの側面図との２面図である。
【図３】本発明の底板を使用した水道メーターボックス組立の正面断面図と側面図の２面図と、高さ調整を説明する正面断面の２面図である。
【符号の説明】
【００２６】
１…水道メーターボックス本体
２…底板
３…フィン
４…傾斜面
８…くさび
９…ボルト
１１…ストッパー
１２…水抜孔
１３…メーターボックス蓋
１４…長円状切欠き
【図１】
2009167680.tif 000003
【図２】
2009167680.tif 000004
【図３】
2009167680.tif 000005